(57)【要約】  ディスクドライブユニット用取付け台は、ディスクドライブユニットの要求動作中にディスクドライブユニットを支持している、キャリア４を具備している。このキャリア４は、ディスクドライブユニットが挿入され得る空間を画定しており、斯かるキャリア４にはディスクドライブユニットが運転用の収容フレームに挿入されるようになっている。キャリアが少なくとも一つの弾性装置１５がキャリア１４のそれぞれの側面にとりつけられているフレームに挿入されているときに、少なくとも二つの弾性装置１５は、ディスクドライブユニット１２を収容フレーム８に固定するために、キャリア１４に取り付けられている。それぞれの弾性装置１５は、概してキャリアに対して装置の動作を許容するために、キャリア１４上に可動的に取り付けられており、弾性装置は、ディスクドライブユニット１２と収容フレーム８との間で作用することにより、収容フレーム８内のディスクドライブユニット１２を固定するように配置されている。ディスクドライブユニットの取り扱い方法は、ディスクドライブユニット１２を、キャリア１４の前面から突き出ている連結構造４７と共にロボット装置４９に係合している、キャリア１４内に載置することを具備している。本方法は、さらに、ロボット装置４９によってキャリア１４を持ち上げ、実質的な水平方向の運動によって、キャリアを収容フレーム８に挿入することを具備している。
2007505425.tif 000002
【特許請求の範囲】
【請求項１】
ディスクドライブが挿入され得る空間を画定しつつ、前記ディスクドライブユニットの要求動作中に前記ディスクドライブユニットを支持しているキャリアと、
前記ディスクドライブユニットを前記キャリア内に固定するために、キャリア上に取り付けられている少なくとも一つの保持装置と、を具備しており、
特定の又はそれぞれの保持装置は、キャリア上に旋回自在に取り付けられており、前記ディスクドライブユニットのキャリア内における垂直位置制御を提供するために配置されている、
ディスクドライブユニットの取付け台。
【請求項２】
前記保持装置は、ディスクドライブユニットがキャリア内に配置されているときに、ディスクドライブユニット上の対応する係合部材と係合する係合部材を具備している、請求項１に記載の取付け台。
【請求項３】
前記保持装置上の前記係合部材は、前記ディスクドライブユニット中の対応する凹部で受容されるように構成されている凸部を具備している、請求項２に記載の取付け台。
【請求項４】
少なくとも一つの保持装置は、安静位において前記係合部材が前記キャリアに傾くように、キャリアに旋回自在に連結されている、請求項２及び３のいずれかに記載の取付け台。
【請求項５】
特定の又はそれぞれの保持装置は、係合部材をキャリアに付勢するためのバネ部材を具備している、請求項２〜４のいずれかに記載の取付け台。
【請求項６】
キャリアは、ディスクドライブユニットが運転用の収容フレームに挿入されるように構成されており、
少なくとも一つの保持装置は、係合部材が配置されている第一の端部と第二の末端部とを具備しており、
第一の端部と第二の端部との間に旋回軸が設けられており、
保持装置の外面上の第一の端部にはダンパが設けられている、請求項２〜５のいずれかに記載の取付け台。
【請求項７】
前記ダンパは、ソルバサンと、シリコンフリージェルとから成る群の中から選択された一の制振材を具備している、請求項８に記載の取付け台。
【請求項８】
ディスクドライブユニットを収容するための前記キャリアを基盤として、緩衝取付けが設けられている、先行する請求項のいずれかに記載の取付け台。
【請求項９】
前記緩衝取付けは、緩衝材を基盤として、差し込み部が配置されている、請求項８に記載の取付け台。
【請求項１０】
ディスクドライブユニットが設けられている、先行する請求項のいずれかに記載の取付け台。
【請求項１１】
旋回自在に取り付けられた保持装置の回転軸は、前記ディスクドライブユニットが挿入される空間の底部の平面に対して実質的に直交している、先行する請求項のいずれかに記載の取付け台。
【請求項１２】
四つの保持装置が設けられている、先行する請求項のいずれかに記載の取付け台。
【請求項１３】
旋回の接点となる取付け装置への接続点と、安静位において、保持装置を取付け装置のキャリアに付勢するためのバネ部材と、を具備している、先行する請求項のいずれかに記載の取付け台内においてディスクドライブユニットを保持している保持装置。
【請求項１４】
係合部材と末端部とを有する第一の端部を具備しており、第一の端部と末端部との間には接続点が設けられている、請求項１３に記載の保持装置。
【請求項１５】
第一の端部の外面に設けられているダンパを具備している、請求項１４に記載の保持装置。
【請求項１６】
ディスクドライブユニット用のキャリアを有しており、前記ディスクドライブユニットをキャリア内に固定するために、キャリア上に設けられている少なくとも一つの保持装置を具備している取付け台への、ディスクドライブユニットの搭載方法であって、
特定の又はそれぞれの保持装置は、キャリア上に旋回自在に取り付けられ、
前記ディスクドライブを係合するための係合部材が設けられ、キャリア内に前記ディスクドライブユニットの垂直位置制御を設けるように配置されており、
特定の又はそれぞれの保持部材が、前記ディスクドライブユニットをキャリア内で保持するために、前記ディスクドライブユニット上で作用するように、前記ディスクドライブユニットを前記キャリアに挿入することを具備している、ディスクドライブユニットの搭載方法。
【請求項１７】
特定の又はそれぞれの係合部材がキャリアの外に出るように、特定の又はそれぞれの保持部材上で作用することと、
特定の又はそれぞれの保持部材が該外側に位置するときに、前記ディスクドライブユニットを前記キャリアに挿入することと、
前記キャリア内の位置における前記ディスクドライブユニットを保持するように、特定の又はそれぞれの保持部材を解除することと、
を具備している、請求項１６に記載の方法。
【請求項１８】
ディスクドライブユニット用のキャリアを有しており、係合部材を有しており、且つ、ディスクドライブユニットとの相互作用で、キャリアにおいて旋回自在に挿入される、少なくとも一つの保持装置を具備している取付け台へのディスクドライブユニットの搭載方法であって、
前記少なくとも一つの保持装置を、係合部材がキャリアの外側に位置するように、軸取付け部について第１の方向に旋回させることと、
ディスクドライブユニットをキャリアに挿入することと、
前記少なくとも一つの保持装置を、係合部材が前記ディスクドライブユニットに係合するように、軸取付け部について第２の方向に旋回させることと、
を具備している、ディスクドライブユニットの搭載方法。
【発明の詳細な説明】
【技術分野】
【０００１】
本発明の一の側面は、データ保存ディスク、可動ディスクヘッド及びこのディスクとヘッドとを支持する本体を有しているような、ディスクドライブユニットの取付け台に関する。本発明の他の側面は、保持装置及びディスクドライブユニットの取付け台への搭載方法に関する。
【背景技術】
【０００２】
従来のディスクドライブユニットの中には、通常、データ保存ディスクが、垂直軸の周りを旋回するように水平に、主シャシー本体に取り付けられている。ディスクヘッドは、ヘッドのみを指していると読めるし、又は、ヘッド及び書き込みヘッドを指しているとも読めるが、ディスクドライブユニットの本体上に、所望のトラックへのディスク上の動作に対して可動な状態で取り付けられている。ある状況においては、ディスクドライブユニットは、他の装置のフレームに恒久的に堅く固定されていることがあるが、ディスクドライブユニットは、支持しているフレームから簡単に取り外しができるように取り付けられていなければならない場合がしばしば起きる。例えば、テスターラックでは、従来、それぞれのディスクドライブユニットをプラスチック材で成形された個別のキャリアに嵌め合い、それによってキャリアがテスターラックに嵌め込まれていた。他の出願においても、取り外し可能なディスクドライブユニットは、コンピュータ内に取り外し可能に取り付けられていることがある。
【０００３】
ある配置では、ディスクドライブユニットは、水平軸に対する旋回のために垂直に取り付けられる。一般的に、ディスクが水平面にあるディスクドライブユニットの例が説明されている本明細書中において、本発明は、水平軸に対する旋回のための垂直面に位置するディスクドライブユニットにも、又は他の的確な形態にも、同等に十分適応していると理解される。
【発明の開示】
【発明が解決しようとする課題】
【０００４】
ディスクドライブユニットの運転で起こる問題は、ディスクヘッドが所望のトラックを検索する動作の終わりに発生する。作動装置、特に高性能のディスクドライブユニットでの読み取り／書き込みヘッドを具備している作動装置のアクセスの加速及び減速は、ディスクドライブユニット本体への反応と同等の反応をもたらす。この反応は、ディスクドライブユニットをその取付け台において振動させ、それゆえに、ディスクドライブユニットへの入力をもたらす。その結果は、ヘッドのトラックへの望まれない誤入力となる。近年、ディスクドライブユニット上の作動装置は、一般に、直線的な運転から旋回式の運転のものに切り替わりつつあり、読み取り／書き込みヘッドは、ディスクの全域で円弧を描いて移動している。斯かるディスクは、このディスク周辺の外側に位置するディスクドライブユニット本体上の（水平なディスクのための）垂直軸に対して位置している。このような旋回型作動装置の加速及び減速により生じる振動は、平面上のディスクドライブユニットの本体に旋回式の振動を生じさせる。
【０００５】
このような振動効果を減らす、又は防止する一つの方法として、ディスクドライブユニット本体を接地フレームに対して極めて堅く取り付けて旋回式の振動に対して固定することが挙げられる。もう一つの方法は、ディスクドライブユニット本体を遊動取付け台、又は、作動装置のサーボが微細なエラーであれば追従できるような低周波の場合のみ運動を許容するもの、に取り付けることが挙げられる。もし、ディスクドライブユニットが、これら一の極端な方法（堅く固定されているか、又は遊動取付け台に固定されているか）に従って取り付けられていない場合には、ディスクドライブユニットがトラック上の基準に合致した後に、ヘッド／トラックのエラー信号が原因の実装振動が発生する。ディスクドライブユニットの動作の低減の結果として、誤入力は検知され、一般的に知られている書き込み欠陥エラーを発生させ、ディスクドライブユニットを書き込みから保護する。
【０００６】
ディスクドライブユニットの簡単な取り外しが要求される状況においては、上述の両極端な取付け方法による取付けは困難である。例えば、ディスクドライブユニットテスターラックでは、取り外しはできるだけ簡単でなければならない。今日、堅固で容易に自動操作が達成可能なディスクドライブユニットの取付け台への要求が高まっているように、ディスクドライブユニット及びそれに付随する取付け台の動作の自動化が求められている。
【０００７】
国際特許出願に係る国際公開公報ＷＯ−Ａ−０１／４１１４８には、ディスクドライブユニットを支持する支持構造を具備しているディスクドライブユニットの試験装置が開示されている。斯かる公報において、ディスクドライブユニット及びディスクドライブユニットの運転中にディスクドライブユニットの温度を所定の温度に制御するための温度制御装置を支持するような、ディスクドライブユニットキャリアの開示が参照される。気流制御装置は、ディスクドライブユニット上の気流を制御している。ある配置では、複数のディスクドライブユニットを収容するディスクドライブユニット試験装置が提供される。この試験装置は、それぞれが個々のディスクドライブユニットを収容するための複数のキャリアを具備している。本明細書に記載の例によれば、その装置は、その前面に、ディスクドライブユニットをキャリアに挿入したり取り外したりすることができるように、開けたり取り外したりすることができるドアを有している。複数のそのようなキャリアは、例えばテストラックのように、ディスクドライブユニット試験装置に組み込まれているか、又は組み立てられている。このことは、個々のディスクドライブユニットが、試験装置の中へ移動したり、中から出て来たりすることを許容している。
【０００８】
ディスクドライブユニットを、くさびによってキャリア内に堅固に固定することが過去に知られている。国際特許出願に係る国際公開公報ＷＯ−Ａ−９７／０６５３２には、ディスクドライブユニットを支持している支持構造を具備しているディスクドライブユニットの取付け台が開示されている。斯かる公報において、ディスクドライブユニットが、運転に使用されるように着脱自在に挿入される空間が画定されている、キャリアの開示が参照される。キャリアは、ディスクドライブユニットをキャリアに関わる動きに対して固定するために、基部及び二つの対向する側面、並びにディスクドライブユニット本体とキャリアの側面の間で可動である第一及び第二のくさび手段を具備している。くさび手段は、ディスクドライブユニットがキャリアに挿入されるときに自動的に運転されている制御連携によって、垂直方向に可動なくさびを具備している。国際特許出願に係る国際公開公報ＷＯ−Ａ−９７／０６５３２に開示されているこの堅固な取付けの欠点は、複数のディスクドライブユニットが共通のフレームに一緒に取り付けられていることである。例えば、テスターの中では、堅固な取付けは、試験中に隣接したディスクドライブユニットとの間でクロストルクを生じさせる。このようにして、堅固な取り付けは、一のディスクドライブユニットから他のディスクドライブユニットへと、高頻度の障害の伝達を許容している。したがって、堅固な取り付けは、ディスクヘッドの作動中にその慣性で起きるエラーを回復させることができるが、クロストーク（すなわち、隣接するドライブ間の振動の伝達）が発生する点で、より問題を難しくしている。
【０００９】
米国特許公報６，２０９，８４２（Ａｎｄｅｒｓｏｎ他）には、ディスクドライブユニットを支持しているキャリアと、ディスクドライブユニットをシステムキャビネットとして参照される収容フレームに固定するために、キャリア上に減衰装置として取り付けられていることで参照される四つの弾性部材と、を具備しているディスクドライブユニットの取付け台が開示されている。弾性要素は、キャリアの両側面に二つずつ配置されており、二つはキャリアの前方に配置されており、他の二つはキャリアの後方に配置されている。運転中、ディスクドライブユニットは、張り出し窓の側壁によって画定された張り出し窓に順々に押し込まれるキャリア内に取り付けられている。減衰装置は、キャリア上にボルトによって取り付けられている。
【００１０】
国際特許出願に係る国際公開公報ＷＯ−Ａ−０３／０２１５９７には、ディスクドライブユニットの取付け台が開示されている。少なくとも一つの保持装置は、概して保持装置の動きを許容するために、キャリア上に可動的に取り付けられて提供されている。
【課題を解決するための手段】
【００１１】
本発明の第１の態様によれば、ディスクドライブが挿入され得る空間を画定しつつ、ディスクドライブユニットの要求動作中にディスクドライブユニットを支持しているキャリアと、ディスクドライブユニットをキャリア内に固定するために、キャリア上に取り付けられている少なくとも一つの保持装置と、を具備しており、特定の又はそれぞれの保持装置は、軸を中心として旋回自在にキャリアに取り付けられており、ディスクドライブユニットのキャリア中での垂直位置制御を提供するために配置されている、ディスクドライブユニットの取付け台が提供される。
【００１２】
本発明は、キャリアと、キャリア上に取り付けられた少なくとも一つの保持装置と、を具備しているディスクドライブユニットの取付け台を提供する。保持装置は、キャリア上で旋回自在に取り付けられており、キャリア内にディスクドライブユニットの垂直位置制御を提供するために配置されている。本発明は、堅固で容易に自動操作による取付けが達成可能な取付け台を提供する。具体的には、ディスクドライブユニットの垂直位置制御が、旋回自在に取り付けられている保持装置によって提供されるため、ディスクドライブユニットを内部に有する取付け台を上下逆さまにしても、ディスクドライブユニットは落下しない。これは、明らかに利点である。さらに、本発明の取付け台によって、ディスクドライブユニットの取付け台からの挿入及び取り外しが容易に達成され得る。
【００１３】
本発明の第２の態様によれば、旋回の接点となる取付け装置への接続点と、安静位において保持装置を取付け装置のキャリアに付勢するためのバネ部材と、を具備している、先行する請求項のいずれかに記載の取付け台内においてディスクドライブユニットを保持している保持装置が提供される。
【００１４】
本発明の第３の態様によれば、ディスクドライブユニット用のキャリアを有しており、ディスクドライブユニットをキャリア内に固定するために、キャリア上に設けられている少なくとも一つの保持装置を具備している取付け台への、ディスクドライブユニットの搭載方法であって、特定の又はそれぞれの保持装置は、キャリア上に旋回自在に取り付けられ、ディスクドライブを係合するための係合部材が設けられ、キャリア内にディスクドライブユニットの垂直位置制御を設けるように配置されており、特定の又はそれぞれの保持部材が、ディスクドライブユニットをキャリア内で保持するために、ディスクドライブユニット上で作用するように、ディスクドライブユニットをキャリアに挿入することを具備している、ディスクドライブユニットの搭載方法が提供される。
【００１５】
本発明は、本発明による装置に関することを特徴とすることにあり、そのような特徴は、また、本発明の方法に関して提供されるであろう。その逆もまた同様である。
【００１６】
以下、本発明の実施形態を、添付図面を参照しながら実施例に基づき説明する。
【発明を実施するための最良の形態】
【００１７】
図１は、ディスクドライブユニット１を概略的に透視した、本発明の実施形態による取付け台２を示している。取付け台２は、キャリアトレーとしてもまた参照され、ディスクドライブユニットの要求作動中にはディスクドライブユニットを支持している、キャリア４を具備している。キャリア４は、ディスクドライブユニットが挿入され得る空間を画定している。キャリア４は、ディスクドライブユニットと共に、テスターラック３２として図５に示される収容フレーム３０に挿入されるようになっている。図５の収容フレーム３０には、複数の張り出し窓３４が設けられており、そのそれぞれが、一対のサイドレール３６（以下に、より詳細に説明する。）を包含する支持構造を有している。図１に再び戻って説明する。キャリア４は、二つの側壁６と、前壁８と、後壁１０と、底部１２と、からなる。キャリア内のディスクドライブユニットを保持している保持組み立て部は、四つの保持装置１４を有しており、そのうちの二つはキャリア４の前方に、その他の二つはキャリア４の後方に配置されている。ガイドレール１３は、キャリア４の側壁６上に設けられている。孔７は、例えば、本願と同日付で出願された本出願人の係属中の国際出願（代理人整理番号：ＡＦ２／Ｐ９７１５ＷＯ）に記載されているような、温度制御装置と係合させるために、キャリア４の後端に設けられている。
【００１８】
図２に示されるように、本実施形態では、それぞれの保持装置１４が、第一の端部１６及び末端部１８を具備している。それぞれの保持装置１４は、一般的に第一の端部１６に配置されている係合部材２０（図３に示す。）をも具備しており、斯かる係合部材は、ディスクドライブユニットがキャリア４内に設けられているとき、このディスクドライブユニットに係合するように作用している。それぞれの保持装置１４は、キャリア４上に旋回自在に取り付けられるようになっている。それぞれの保持装置１４の末端部１８は、バネ手段を具備しており、斯かるバネ手段１８は、キャリア４内に位置するときには、第一の端部１６及び対応する係合部材２０がキャリア４に付勢するように作用する。
【００１９】
ここで、保持装置１４の構造について、図２及び３を参照しながら詳細に考察していく。図２に示すように、それぞれの保持装置１４は、第一の端部１６と、末端部１８とを具備している。旋回軸２２は、保持装置１４が図２に示されている軸２４に対して回転できるように、設けられている。末端部１８は、弾力材で形成されているので、保持装置１４がキャリア４内に配置されているとき、付勢バネとして機能することができる。唇２６は、保持装置１４の第一の端部１６に設けられており、後に詳細に説明するが、保持装置の動作を制限する役割を果たしている。
【００２０】
図４は、保持装置１４のキャリア側壁６における配置での概略断面図である。この安静位において、すなわち、保持装置１４が、ディスクドライブユニットがキャリア４内に設けられていない状態で、キャリア４内に配置されている位置において、係合部材２０はキャリア４内に配置されていることが見て取れる（図３の左側の側壁６）。保持装置１４の第一の端部１６に設けられている唇２６は、係合部材２０が側壁６の開口２８を通じて移動することができるキャリア４への距離を制限するために機能している。これは、唇２６を側壁に係合させることによって達成される。明確にすることを目的として、唇２６と側壁６との間にスペースを設けているが、キャリア４内の位置において、唇２６は、常にではないが、通常、側壁６に係合されていると理解される。
【００２１】
図３及び４のすべてを参照すると、曲がり部材３０は、保持装置１４の（キャリア４のスペースに対して）外側に設けられている。この部材３０は、保持装置１４本体と部材３０との間にできる領域３２によって画定される。以下で説明されるように、この領域３２には、キャリア４内に配置されたディスクドライブユニットに減衰力を提供するための選択された素材を充填することができる。
【００２２】
安静位において、それぞれの保持装置１４の係合部材２０は、キャリア４内に突き出ており、バネ１８により、この位置に付勢されている。上述のように、キャリア４内に突き出る量は、唇２６と側壁６との相互作用によって制限されている。
【００２３】
ディスクドライブユニットがキャリア４に挿入されるとき、保持装置１４は、バネ１８の付勢に対する旋回軸２４についての旋回を引き起こし、それゆえに、キャリア４内に位置しているディスクドライブユニット上に制止力を与える。バネ１８及び保持装置１４により与えられた付勢は、キャリア内のディスクドライブユニットを保持するのに十分であるため、例えば、もし、運転中に軽く突かれたり、強打されたり、又は上下逆さまにされたとしても、ディスクドライブユニットはキャリア４内に保持される。上述のように、例の中で、ディスクドライブユニットがテスターラックに自動的に出入りする点は重要である。保持装置１４は、キャリア４に入れ込むための独立したユニットとして、又は、キャリア４の切り離せない一部分として提供され得ると理解される。
【００２４】
ここからは、図１及び６を参照しながら、ディスクドライブユニットのキャリア４への挿入方法を説明していく。これは、手動によっても、又は、例えば、ロボットの使用などにより自動的になされてもよい。ディスクドライブユニットは、キャリア４への入り口で、保持装置１４の係合部材２０がディスクドライブユニットの側壁との接触によって外側へ強制されるように、キャリア４内に単に配置することができる。
【００２５】
下記に説明する一つの選択的な方法として、保持装置を一時的に構成することが可能であり、その結果、係合部材２０はキャリア４の外側に配置される。これは、バネ１８の動作を許容するあきがキャリア４の側壁に許容されているある領域における、旋回軸２２との間で弾性部材１８に対する力により達成される。
【００２６】
図５は、保持装置１４の他の位置を示す。力は、キャリア４の内側の一の方向に作用される。これにより、保持装置１４の第一の端部１６がその旋回軸２２について、時計回りの回転を起こす。この立体配置における保持装置では、係合部材２０との接触なしでディスクドライブユニットをキャリアに挿入することができる。この位置では、係合部材はキャリア内のあきの外側に配置されている。したがって、ディスクドライブユニットがキャリア４に挿入されているときには、保持装置１４との直接的な相互作用はない。一旦、作用された力を取り除くと、バネ１８の付勢下における保持装置１４は、ディスクドライブユニットに係合する。もし、ディスクドライブユニットと保持装置１４の係合部材２０との間の相互作用のために、ディスクドライブユニットの破損の危険があるとき、この点は有利である。上述の運転は、係合部材２０が一時的にキャリア４の外側にあることを確実にするための要求された力を提供するために、適切に設計された自動又は手動の凸部又は指を有して好適に配置された装置によって、自動的に実行できる。
【００２７】
ディスクドライブがキャリア４に挿入されるとき、保持装置１４の作用によって、ディスクドライブはキャリア内に保持される。ここで、図１及び６を参照しながら、例えば、キャリア及びディスクドライブユニットがテスターラックに挿入されているときに、ディスクドライブユニットをキャリア４内に固定している、保持装置１４の運転について説明する。
【００２８】
図６は、上述の部材が部分的に示されている、複数のディスクドライブユニットを収容するためのテスターラックの概略斜視図である。図６には、試験用のディスクドライブユニットを格納するためのテスターラックが示されている。ラックには、複数の張り出し窓があり、それぞれの張り出し窓は、キャリア４の側壁６上に設けられているガイドレール１３中に位置する、サイドレール４４を有している。それぞれのサイドレール４４は、キャリア４上のガイドレール１３の内側へ伸びている。この効果は、キャリア４がサイドレール４４に完全に取り付けられ、且つ、係合するとき、それぞれの保持装置１４の部材３０が部材３０が接続されている保持装置１４の本体側に強制されるように、保持装置１４がサイドレール４４によって係合されることである。
【００２９】
このことは、キャリア４内のディスクドライブユニット上にかかる固定力の増加という効果を持つ。もちろん、（上述のように）保持装置１４の唇２６は既にキャリア４の側壁６に係合されているので、係合部材２０のさらなる内側への動作はない。しかしながら、ディスクドライブユニットとの接触によって維持されている係合部材との力は、増加する。
【００３０】
テスターラックのサイドレール４４と保持装置１４との間の係合は、曲がり部材３０を介してなされる。上述のように、それぞれの曲がり部材３０には、弾性があり、それゆえに、ガイドレール４４と保持装置１４との間の接触の結果、開口側の３２は減少する。本発明の好ましい例として、開口部３２の中に制振材が設けられている。ディスクドライブユニットがテスターラック中のキャリアに配置されるとき、試験下のディスクドライブの振動が減衰されることを確保する。制振材としての好ましい材料は、ビスコ−エラスティックポリマーの製造業者であるＳｏｒｂｏｔｈａｎｅ社によるビスコ−エラスティックポリマー、シリコンフリー制振ジェル、又は、好ましい減衰機能を提供可能な他のいかなる材料であってもよい。ある一定の場合には、開口部３２にはいかなる材料も充填されないものとし、そのような場合には、保持装置１４自体によって十分な減衰がもたらされる。
【００３１】
上述の取付け台は、テストラックへの挿入のためのディスクドライブユニットの取付けに使用される。この取付け台は、末端消費者によるディスクドライブユニットの通常の運転中のディスクドライブユニットの取付けにも使用される。
【００３２】
それぞれの保持装置１４の第一の端部１６に設けられたそれぞれの係合部材２０は、これに対応する孔、又はキャリア内に配置されたディスクドライブユニットの側面にある凹部に係合している。ディスクドライブユニットは、通常（公認の国際基準によれば）、ディスクドライブを配置して、例えばコンピュータ内にロックすることを可能とする、位置決め孔を具備している。保持装置１４は、対応する係合部材２０が、その孔又は凹部が、公認の基準に従ってディスクドライブユニットに設けられている地点に存在するように、キャリア４内に配置されていることが好ましい。また、保持装置１４上に設けられている係合部材２０は、もしディスクドライブユニット本体上に対応する突起が存在する場合には、それに係合するための孔、又は凹部であってもよい。
【００３３】
本発明の一例において、キャリア４の底部１２上には、緩衝取付け１５が設けられている。緩衝取付け１５は、ディスクドライブユニットがキャリア４に搭載されているとき、ディスクドライブユニットの位置を決め、これを支持する役割を果たしている。緩衝取付け１５には、差し込み部、又は、ディスクドライブユニットを位置決めできるようなその他の手段が設けられていてもよい。緩衝取付けは、通常、十分な緩衝機能を提供して好適な材料からできている。好適な材料の例には、ビスコ−エラスティックポリマー、又はその他十分な緩衝機能を提供し得る材料が含まれる。緩衝取付け、又は差し込み部は、保持装置１４の係合前又は係合中に、キャリアに挿入されたディスクドライブユニットの位置調整をする。さらに、ディスクドライブユニットの底面の対応する特徴と係合する差し込み部は、ディスクドライブユニットへの電気的接続中に、ディスクドライブユニットを横方向に制止する。電気的接続は、上述のように、テスターラックに挿入したディスクドライブユニットの接続をすることもできるし、接続を断つこともできる。
【００３４】
加えて、キャリア内の空気の流れを可能とするために、一又は二以上の通気孔１７が、キャリア４の底に設けられていてもよい。この気流は、キャリア４内のディスクドライブユニットの温度を調節するのに用いられる。斯かる温度調節の全内容は、本願と同日付けで出願の、本出願人の係属中の国際出願（代理人整理番号：ＡＦ２／Ｐ９７１５ＷＯ）で参照される。
【００３５】
図５を参照しながら、ディスクドライブユニットを搭載し、テスターラックに挿入される、キャリア４の運転全般を説明する。ディスクドライブユニットがキャリア４内に配置された後、キャリア４はテスターラック４２の方向に向けて、上述のようにレール４４に係合される。そして、キャリア４は、ラック４２中に押し込まれ、保持装置１４はレール４４によってさらに係合されるため、この圧縮された保持装置１４によってディスクドライブユニットは堅固に固定される。
【００３６】
キャリア４をラック４２へ挿入する間は、ディスクドライブユニットの内部後端上の電気コネクタ（不図示）と、それぞれの張り出し窓４３の内端領域に設けられている対応する電機コネクタとの間で、電気的接続がなされている。ディスクドライブユニットがテスターラックに堅固に固定されている先行文献（例えば、上述のＷＯ  ９７／０６５３２）の装置では、ディスクドライブユニットが堅固に固定されているときに、張り出し窓４３の後方に設けられた電気コネクタは、そのコネクタが他のコネクタと一体化するのを許容するために、遊動取付け台を具備している必要があった。しかし、必ずしも図示された実施例である必要はない。テスターラック上の電気コネクタ及びディスクドライブユニット上の電気コネクタは、それぞれ堅固に固定されていてもよい。それぞれのコネクタには適当な先細りの引込み線が設けられているため、公差によるいかなる微細な位置ずれも、キャリア４に関するディスクドライブユニット全体の動作によって、吸収される。その理由として、保持装置１４は少量の動作を許容するため、要求固定特性を保持する一方、テスターラックに関する遊動取付け台上の電気コネクタの動作によってよりはむしろ、ディスクドライブユニット全体の動作によって、公差は吸収され得る。このことによって、テスターラックの製造コスト及び維持費の削減と共に、製造の簡易化が図られる。
【００３７】
図を参照しながら説明される実施例において、いくつかの特徴が組み合わさって、有利な配置を提供している。キャリア４の収容フレームへの摺動作用は、保持装置１４が、進行性の固定作用を促進するための先端にテーパを有するレール４４によって圧縮されることを引き起こす。ディスクドライブユニットを含んでいるキャリアトレーを収容フレームに設置する一つの動作は、ディスクドライブユニットの後方に設けられた電気コネクタ（不図示）が、収容フレーム内の対応するコネクタと提携し、接続することを可能とする。保持装置に対するディスクドライブユニットの横方向の動作の条件は、製造公差が受容張り出し窓の後方における遊動電気コネクタなしで許容される範囲で提供される。ディスクドライブユニットの横方向の動作の量は、上述の保持装置によってもたらされる減衰による動作の範囲内である。
【００３８】
説明された全体的な配置は、最小空間を要求している。保持装置に関するキャリアトレーはすべての固定機構を含んでいるため、固定機構を提供するために、試験システム全体の運転を必ずしも一時停止する必要はない。固定機構は、それぞれのキャリアに個別に提供される。
【００３９】
これまでに説明されてきた実施例において、四つの保持装置１４が、キャリア４のそれぞれの角にほぼ一つずつ位置するように示されているが、本発明に従って、他の多数の配置があってもよい。例えば、少なくとも一つの保持装置１４がキャリア４のそれぞれの側面に設けられていることが好ましいが、本発明の少なくともいくらかの利点は、キャリア４の側壁から突き出ており、また、ディスクドライブユニットの側壁に対して位置しており、一つ以上の固定位置がキャリア４の他の側面にあるキャリア４の一つの側面にある、一つの保持装置１４を提供することによって得られる。
【００４０】
他の多数の配置もありえる。例えば、キャリアの一方の側面には二つの保持装置１４を、キャリアの他の側面には一つの保持装置１４を設けたり、また、キャリア４の一方の側面に二つの遊動保持装置１４を、キャリア４から突起している他の側面には、ディスクドライブユニットと接触するために一つの固定位置接点を設けたり、さらに、キャリア４のそれぞれの側面に一つずつ、二つの保持装置１４を設けたりしてもよい。
【００４１】
本発明の実施形態は、図示の実施例を具体的に参照しながら説明されている。しかしながら、この実施例に対する変形或いは変更は本発明の範囲内で可能である。
【図面の簡単な説明】
【００４２】
【図１】本発明の実施形態によるディスクドライブユニットの取付け台の上記一例を示す概略図である。
【図２】図１に示す取付け台内のディスクドライブユニットを保持する保持装置の斜視図である。
【図３】図２に示す上記保持装置の平面図である。
【図４】保持装置のキャリア側壁における配置での概略断面図である。
【図５】保持装置のキャリア側壁における配置での概略断面図である。
【図６】上記に図示された部材が部分的に示されている、複数のディスクドライブユニットを収容するためのテスターラックの概略斜視図である。
【図１】
2007505425.tif 000003
【図２】
2007505425.tif 000004
【図３】
2007505425.tif 000005
【図４】
2007505425.tif 000006
【図５】
2007505425.tif 000007
【図６】
2007505425.tif 000008
【手続補正書】
【提出日】平成18年6月5日(2006.6.5)
【手続補正１】
【補正対象書類名】特許請求の範囲
【補正対象項目名】請求項７
【補正方法】変更
【補正の内容】
【請求項７】
前記ダンパは、ソルバサンと、シリコンフリージェルとから成る群の中から選択された一の制振材を具備している、請求項６に記載の取付け台。
【手続補正２】
【補正対象書類名】明細書
【補正対象項目名】００１３
【補正方法】変更
【補正の内容】
【００１３】
本発明の第２の態様によれば、旋回の接点となる取付け装置への接続点と、安静位において保持装置を取付け装置のキャリアに付勢するためのバネ部材と、を具備している、請求項１〜１２のいずれかに記載の取付け台内においてディスクドライブユニットを保持している保持装置が提供される。
【国際調査報告】
2007505425.tif 000009
2007505425.tif 000010
2007505425.tif 000011